(57)【要約】      （修正有）【課題】除細動器の電力を消費する高電圧（ＨＶ）セルフテストに代えて、電力をほとんど消費しない低電圧（ＬＶ）セルフテストの方法を提供する。【解決手段】除細動器内に組み込まれる改良されたセルフテスト方法が説明される。当該方法は、閾値条件に到達するまで、第１の頻度で動作するセルフテストプロトコルを行う。閾値条件に到達すると、セルフテストプロトコルは、第２の頻度に切り替わる。このような方法は、除細動器の母集団における故障モードのより迅速な特定を可能にする一方で、デバイスにおける許容電池寿命を維持する。【選択図】図４
2018134447.tif 000002
【特許請求の範囲】
【請求項１】
除細動器をセルフテストする方法であって、
第１の頻度で、セルフテストプロトコルを定期的に行うステップと、
閾値条件を超過する条件を検出するステップと、
前記検出するステップに反応して、前記セルフテストプロトコルを、第２の頻度に自動的に切り替えるステップと、
前記第２の頻度で、前記セルフテストプロトコルを定期的に行うステップと、
を含む、方法。
【請求項２】
前記セルフテストプロトコルは、高電圧コンポーネントセルフテストプロトコルを含み、更に、前記第１の頻度は、前記第２の頻度よりも高い、請求項１に記載の方法。
【請求項３】
前記高電圧コンポーネントセルフテストプロトコルは、前記除細動器内の電気療法供給回路を介する電気療法に十分な電圧を印加するステップを含む、請求項２に記載の方法。
【請求項４】
前記第１の頻度は、毎日である、請求項３に記載の方法。
【請求項５】
前記セルフテストプロトコルは、低電圧セルフテストプロトコルを含み、更に、前記第２の頻度は、ゼロである、請求項１に記載の方法。
【請求項６】
前記除細動器における電池交換を検出するステップと、
前記検出するステップに基づいて、前記セルフテストプロトコルを、第３の頻度に自動的に切り替えるステップと、
を更に含む、請求項１に記載の方法。
【請求項７】
前記第３の頻度は、前記第１の頻度と前記第２の頻度との間である、請求項６に記載の方法。
【請求項８】
前記条件は、経過時間であり、前記閾値条件は、所定の期間である、請求項１に記載の方法。
【請求項９】
前記条件は、前記除細動器の感知された起動回数であり、前記閾値条件は、前記除細動器の閾値起動回数である、請求項１に記載の方法。
【請求項１０】
前記条件は、完了したセルフテストの回数であり、前記閾値条件は、前記セルフテストの所定回数である、請求項１に記載の方法。
【請求項１１】
前記条件は、環境条件であり、前記閾値条件は、環境閾値条件である、請求項１に記載の方法。
【請求項１２】
前記環境条件は、温度、ユーザ起動、機械的衝撃及び湿度からなるセットから選択される１つである、請求項１１に記載の方法。
【請求項１３】
前記第２の頻度で、前記セルフテストプロトコルを定期的に行うステップの開始の後の所定の期間の後、前記セルフテストプロトコルを、前記第２の頻度よりも高い第３の頻度に自動的に切り替えるステップと、
前記第３の頻度で、前記セルフテストプロトコルを定期的に行うステップと、
を更に含む、請求項１１に記載の方法。
【請求項１４】
除細動器をセルフテストする方法であって、
第１の頻度で、セルフテストプロトコルを定期的に行うステップと、
他の除細動器の故障又は欠陥に関する情報を、前記除細動器において受信するステップと、
前記受信するステップにおいて受信した前記情報に反応して、前記セルフテストプロトコルを、第２の頻度に自動的に切り替えるステップと、
前記第２の頻度で、前記セルフテストプロトコルを定期的に行うステップと、
を含む、方法。
【請求項１５】
前記第２の頻度は、前記第１の頻度よりも高い、請求項１４に記載の方法。
【請求項１６】
前記受信するステップは、ワイヤレス通信路を介して、前記除細動器において前記情報を受信するステップを含む、請求項１４に記載の方法。
【請求項１７】
自動セルフテストプロトコルを有する除細動器であって、
１対の患者電極に、高電圧電気療法を提供する回路と、
セルフテストプロトコル用の命令と、閾値条件とを格納するメモリと、
前記閾値条件に対応する条件を検知するセンサと、
前記メモリ及び前記センサに結合され、前記条件が前記閾値条件を超過しない場合は、第１の頻度で、又は、前記条件が前記閾値条件を超過する場合は、第２の頻度で、前記セルフテストプロトコルを使用して、前記除細動器のセルフテストを行うように動作可能であるコントローラと、
最近のセルフテストの結果の表示を提供する出力部と、
を含む、除細動器。
【請求項１８】
前記第２の頻度は、前記第１の頻度よりも低い、請求項１７に記載の除細動器。
【請求項１９】
前記閾値条件は、経過時間、所定のユーザ起動回数、所定のユーザ制御ボタン押下回数、正常動作温度を上回る温度、前記正常動作温度を下回る温度、所定の機械的衝撃の回数及び湿度閾値からなる群から選択される１つである、請求項１７に記載の除細動器。
【請求項２０】
前記出力部は、発光ダイオード、液晶ディスプレイ及びグラフィックアイコンを含む視覚的グラフィックである、請求項１７に記載の除細動器。
【請求項２１】
前記グラフィックアイコンは、前記除細動器は、使用の準備が整っていないことを示し、
前記液晶ディスプレイは、前記グラフィックアイコンを覆い、前記除細動器が使用の準備が整っている場合は、前記グラフィックアイコンを覆い隠すように動作可能であり、
前記発光ダイオードは、前記除細動器が、使用の準備が整っている場合は、点灯するように動作する、請求項２０に記載の除細動器。
【請求項２２】
時間的に近い製造日を有する第２の除細動器に欠陥があることを示す情報をワイヤレスで受信するように動作可能な受信器を更に含み、
前記コントローラは更に、受信した前記情報に反応して、前記第２の頻度で、前記セルフテストプロトコルにおいて前記回路を動作させるように動作可能である、請求項１７に記載の除細動器。
【発明の詳細な説明】
【技術分野】
【０００１】
[0001]  本発明は、医用デバイスの自動セルフテストにおける改良に関する。本発明は、通常、使用と使用との間の長期間に亘ってスタンバイモードで動作する自動体外式除細動器（ＡＥＤ）といったデバイスに特に有用である。
【背景技術】
【０００２】
[0002]  人間の心臓内の電気化学活動は、通常、心筋繊維を、同時に収縮及び弛緩させ、これにより、心室から人体の重要臓器への血液の効果的なポンピングがもたらされる。突然の心臓死は、しばしば、心室細動（ＶＦ）によって引き起こされる。心室細動では、心臓内の異常な電気活動によって、個々の心筋繊維がバラバラに無秩序に収縮する。ＶＦの唯一の効果的な治療は、心臓に電気的ショックを与えて、心臓の電気化学系が再び同期されるようにする電気的除細動である。系統的な電気活動が戻ると、通常、同期された筋収縮が続き、心調律の回復につながる。しかし、治療が効果を発揮するためには、ＶＦが開始してからほんの数分内にＶＦを除細動することが重要である。
【０００３】
[0003]  ＶＦの開始後、迅速に除細動を施すという必要性は、緊急救援隊員及び一般人によって使用される自動体外式除細動器（ＡＥＤ）を出現させた。ＡＥＤは、長期間、使用されないが、緊急事態においては、信頼度が高く動作するために準備が整っていなくてはならない。動作レディネスを確実とするために、多くのＡＥＤは、定期的に行われるセルフテスト動作を採用している。マサチューセッツ州アンドーバーにあるフィリップス・メディカル・システムズ社によって製造されているＨｅａｒｔｓｔｒｅａｍ  ＦｏｒｅｒｕｎｎｅｒＡＥＤは、例えば、所定のスケジュールに応じて自動的にセルフテスト動作を生成するセルフテストシステムを採用している。セルフテスト動作は、通常、除細動器のコンポーネント及び動作が所定の仕様内にあることを検証するために、機能、較正及び安全テストを含む幾つかの様々なシステムチェックを含む。除細動パルスを提供する高電圧（ＨＶ）回路は、除細動器の重要なコンポーネントである。除細動器の高電圧回路の正常機能の検証は、どのセルフテスト動作にもある典型的な一部である。
【０００４】
[0004]  「Ｄｅｆｉｂｒｉｌｌａｔｏｒ  Ｓｙｓｔｅｍ  Ｃｏｎｄｉｔｉｏｎ  Ｉｎｄｉｃａｔｏｒ」なる名称の米国特許第５，５９１，２１３号（Ｍｏｒｇａｎ他）に、テスト負荷にテストパルスを送り出すように高電圧回路を定期的に動作させる手段を含む除細動器システムが説明されている。このようなセルフテストは、定期的に行われるか、又は、「Ｅｎｖｉｒｏｎｍｅｎｔ−Ｒｅｓｐｏｎｓｅ  Ｍｅｔｈｏｄ  ｆｏｒ  Ｍａｉｎｔａｉｎｉｎｇ  Ｅｌｅｃｔｒｏｎｉｃ  Ｄｅｖｉｃｅｓ  ｓｕｃｈ  ａｓ  Ａｎ  Ｅｘｔｅｒｎａｌ  Ｄｅｆｉｂｒｉｌｌａｔｏｒ」なる名称の米国特許第５，８６８，７９２号（Ｏｃｈｓ他）に説明されているように、周囲温度といった除細動器の環境における変化に反応して行われる。本特許は、参照することにより、本明細書に組み込まれる。同様に、参照することにより本明細書に組み込まれる「Ｅｎｖｉｒｏｎｍｅｎｔ−Ｒｅｓｐｏｎｓｉｖｅ  Ｍｅｔｈｏｄ  ｆｏｒ  Ｍａｉｎｔａｉｎｉｎｇ  ａｎ  Ｅｌｅｃｔｒｏｎｉｃ  Ｄｅｖｉｃｅ」なる名称の米国特許第５，９６４，７８６号に説明される同様の発明は、デバイス温度の変化に基づいて時間的にセルフテストスケジュールを延ばす内部セルフテストプロトコルを使用する。
【０００５】
[0005]  「Ｍｅｔｈｏｄ  ｆｏｒ  Ｐｅｒｆｏｒｍｉｎｇ  Ｓｅｌｆ−Ｔｅｓｔ  ｉｎ  ａ  Ｄｅｆｉｂｒｉｌｌａｔｏｒ」なる名称の米国特許第５，８００，４６０号（Ｐｏｗｅｒｓ他）に、除細動器のセルフテストシステムの動作が詳細に説明されている。エネルギー蓄積コンデンサが、２回、フル電圧にまで充電され、まず、最大電圧と現在の状態との組み合わせで、ＨＶ回路の動作を機能的に検証し、次に、除細動パルスにおいて運ばれるエネルギー量が仕様限度内であることを確実とするためにＨＶ回路を較正するために放電される。テスト負荷の抵抗は、通常、１０オームの範囲内である。
【０００６】
[0006]  Ｐｏｗｅｒｓ他によって教示されるように、組み合わされた最大電圧及び最大電流ストレスにおいてテスト負荷にテストパルスを提供することは、各セルフテスト動作において、テスト負荷内でかなりの量のエネルギーが散逸される。ＨＶ回路のセルフテストは、除細動器のセルフテストの全体の一部しか形成しないが、電池の４乃至５年のデザイン寿命に亘って必要な全エネルギーの大部分を消費する。したがって、ＡＥＤは、セルフテストが行われない場合よりも大きい電池を有するようにデザインされなければならない。
【０００７】
[0007]  「Ｒｅｄｕｃｅｄ  Ｅｎｅｒｇｙ  Ｓｅｌｆ−Ｔｅｓｔ  Ｏｐｅｒａｔｉｏｎ  ｉｎ  ａ  Ｄｅｆｉｂｒｉｌｌａｔｏｒ」なる名称の米国特許第６，１８５，４５８号に、ＨＶ回路のセルフテストを行うのに必要なエネルギーを削減する方法を組み込んだ１つの従来技術の発明が説明されている。当該特許に記載される方法は、動作条件に等しい電圧及び電流ストレスをＨＶコンポーネントに印加するが、電池の寿命を節約するために、ＨＶエネルギー源を部分的にしか充電しない。
【０００８】
[0008]  別の従来技術の発明は、除細動器に接続されている電源のタイプに応じて、セルフテストのプロトコル又は周期性を自動的に調節する。「Ｐｅｒｉｏｄｉｃ  ａｕｔｏｍａｔｉｃ  ｓｅｌｆ−ｔｅｓｔ  ｓｙｓｔｅｍ  ａｎｄ  ｍｅｔｈｏｄｏｌｏｇｙ」なる名称の米国特許第６，１８５，４５８号は、参照することにより、本明細書に組み込まれる。
【０００９】
[0009]  上記特許は、それぞれ、ＡＥＤが心停止救助に使用される前に、当該ＡＥＤの電池寿命を過度に短縮することなく、当該ＡＥＤにおける故障を特定することに関する。これらの特許は、すべて、プロトコルが設定された後は、頻度又は周期性を変化させないセルフテストプロトコルを組み込む。
【００１０】
[0010]  ＡＥＤのある母集団において、３つの基本的な故障モードが特定されており、それぞれ、ＡＥＤの寿命の特定の段階において優勢となる。図１は、これらの論理上の故障モードを、論理上の観察故障率１７のワイブル（Ｗｅｉｂｕｌｌ）曲線と呼ばれる曲線上に示す。観察故障率１７は、初期故障率１４と、偶発故障率１５と、摩耗故障率１６との組み合わせである。
【００１１】
[0011]  初期故障は、製品寿命の第１の段階１１の間のＡＥＤ故障の優勢モードであると予想される。初期故障は、材料欠陥、デザインエラー又は組立てエラーといった欠陥に関連付けられる。このような欠陥は、工場内テストで発見できない場合がある。故障は、ロット関連の場合もある。このような欠陥を有するデバイスは、不合格であり、サービスから除かれるので、初期故障率は、無視可能なレベルにまで下がる。
【００１２】
[0012]  偶発故障率は、通常、「強度を超えたストレス」の偶発的な場合と考えられる。偶発故障率は、事故、極端な環境条件への露出等によってＡＥＤの母集団の寿命全体に亘って、比較的一定な率で生じる。偶発故障率は、領域１２に示されるように、ＡＥＤ寿命の中間の間の主な故障モードであると想定される。
【００１３】
[0013]  第３の故障モードである摩耗故障率１６は、通常、材料の疲労又は枯渇による。ＡＥＤにおいて、電池及び電極といった幾つかのコンポーネントは、時間の経過と共に枯渇することが予想され、摩耗故障が検出されると又はそれらの有効期限に従って、定期的に交換される。しかし、全体として、典型的なＡＥＤの有用サービス寿命は、その短命のコンポーネントによって制限される。各ＡＥＤが、領域１３においてその有用寿命の終わりに近づくにつれて、観察故障率１７は、様々なコンポーネントが経年によって故障するため、再び上昇する。
【００１４】
[0014]  ＡＥＤの観察故障率１７は、通常、非常に低く、したがって、統計的に有意な故障母集団が確立されるまでに、長い時間が必要となる。適切な補正アクションを示す故障の原因を特定するためには何年ものデータが必要となる。その頃には、ＡＥＤの非常に大きな母集団が影響を受けることになる。補正アクションが回収を必要とする場合は、回収されたＡＥＤのうちのほんの数個が、実際には、補正アクションを必要とする欠陥を有する。したがって、製造業者は、不必要な出費と時間の無駄とを経験することになり、また、市民の安全も、デバイスが不必要にサービスから外されることによって危険に晒されることになる。補正アクションを必要とするデバイスの数を最小限とするために、デバイス故障を特定するためのより高速で、より効果的な方法が必要である。
【００１５】
[0015]  発明者は、ＡＥＤの幾つかのモデルについての観察故障率データを詳しく解析した。データは、コンポーネントにおける潜在的欠陥又は製造工程からもたらされる欠陥が、ある故障を引き起こす前に、長期間の間、存続することを示唆する。つまり、図１の初期故障率曲線１４が、長期間に及ぶ全体の故障率にかなりの寄与を追加する。したがって、コンポーネントにおける潜在的欠陥は、現場でデバイスを早期に故障させるが、工場における製品テストでは現れない。データは更に、ＡＥＤセルフテスト自体がデバイスに十分な周期的ストレスを与え、最終的に、潜在的欠陥がデバイス故障として出現させることも示唆する。疲労故障と同様に、ＨＶセルフテストは、具体的には、十分な電圧、電流及び熱を与えて、ＡＥＤコンポーネントにセルフテスト故障となるようにストレスを与える。ＨＶセルフテストは、温度、湿度、凝縮状態、衝撃及び振動といった環境条件のデバイスデザインマージンにおいて、上記の通り行うことがより効果的である。
【発明の概要】
【発明が解決しようとする課題】
【００１６】
[0016]  従来技術のＨＶセルフテストは、ＡＥＤの寿命の全体を通して、多くても、週毎に行われる。このプロトコルでは、ＨＶセルフテストがより頻繁にランされる場合よりもＡＥＤの寿命のより後期に潜在的欠陥故障が生じる。しかし、ＨＶセルフテストは、かなりの電力を消費するので、現行のＡＥＤは、すべて、電池の寿命を節約するために、あまり頻繁にＨＶセルフテストをランしない。
【００１７】
[0017]  その一方で、低電圧（ＬＶ）セルフテストは、潜在的欠陥の検出にはあまり効果がないことが観察されている。ＬＶセルフテストは電力をほとんど消費しないので、当該テストは、通常、毎日、ランされている。
【課題を解決するための手段】
【００１８】
[0018]  本発明の原理にしたがって、改良された医用デバイス及び当該医用デバイスを自動的にセルフテストする方法が説明される。当該セルフテスト方法は、第１の頻度で、セルフテストプロトコルを定期的に行うステップと、閾値条件を超過する条件を検出するステップと、当該検出するステップに反応して、セルフテストプロトコルを、第２の頻度に自動的に切り替えるステップと、第２の頻度で、セルフテストプロトコルを定期的に行うステップとを含む。閾値条件は、所定の経過時間、環境条件、又は、ＡＥＤが実際に使用された検知率である。セルフテストプロトコルが、ＨＶセルフテストである場合、第１の頻度は、第２の頻度より高いべきである。セルフテストプロトコルが、ＬＶセルフテストである場合、第２の頻度は、０まで低くてもよい。各プロトコルについて、セルフテストの２つの頻度を適切に選択することによって、医用デバイスの電池寿命が最大限にされる。当該方法を組み込んだデバイスは、ＡＥＤである。
【００１９】
[0019]  本発明の原理の更なる態様にしたがって、改良された医用デバイス及び当該医用デバイスを自動的にセルフテストする方法の別の実施形態が説明される。本実施形態は、２つの異なるテスト頻度を有するセルフテストプロトコルステップを含み、更に、テストの第１の頻度から第２の頻度への切り替えを制御する受信ステップを更に含む。受信ステップは、時間的に近い製造日を有する第２の医用デバイスに欠陥があるという情報を受信する。当該方法を組み込んだデバイスは、ワイヤレス受信器を有するＡＥＤである。
【００２０】
[0020]  本発明の更なる態様にしたがって、除細動器の動作状態を表示する改良された視覚インジケータが説明される。改良された視覚インジケータは、デバイス状態の明白な表示を提供するために協働して動作する発光ダイオード（ＬＥＤ）、液晶ディスプレイ（ＬＣＤ）及びプリントされたグラフィックアイコンを含む。
【図面の簡単な説明】
【００２１】
【図１】[0022]  図１は、論理上の観察故障率のワイブルバスタブ曲線を示す。
【図２】[0023]  図２は、本発明の一実施形態による体外式除細動器の機能コンポーネントを示すブロック図である。
【図３】[0024]  図３は、本発明の方法の一実施形態を示すフローチャートを示す。
【図４】[0025]  図４は、本発明の方法の別の実施形態を示すフローチャートを示す。
【図５ａ】[0026]  図５ａは、ＡＥＤといった医用デバイスのレディネス状態を示す改良された視覚インジケータを示す。
【図５ｂ】[0026]  図５ｂは、ＡＥＤといった医用デバイスのレディネス状態を示す改良された視覚インジケータを示す。
【図５ｃ】[0026]  図５ｃは、ＡＥＤといった医用デバイスのレディネス状態を示す改良された視覚インジケータを示す。
【図５ｄ】[0026]  図５ｄは、ＡＥＤといった医用デバイスのレディネス状態を示す改良された視覚インジケータを示す。
【発明を実施するための形態】
【００２２】
[0027]  図面を参照するに、図２は、本発明の一実施形態による改良型セルフテスト方法が組み込まれた例示的な医用デバイスの機能ブロック図である。本実施形態では、医用デバイスは、自動体外式除細動器（ＡＥＤ）２０であり、心臓救助の際に高電圧除細動治療を施す１対の電極３０が患者（図示せず）の胸部に結合される。電極３０は、コントローラ５０に提供されるＥＣＧ情報を得るために、患者からのＥＣＧ信号をフィルタリングし、増幅し、デジタル化するＥＣＧフロントエンドに結合される。コントローラ５０によって実行されるショックアドバイスアルゴリズムが、ＥＣＧ信号を解析して、心室細動（ＶＦ）といったショック可能なリズムを検出する。ショック可能なリズムが検出されると、コントローラ５０は、高電圧（ＨＶ）回路４０を介して、患者に除細動パルスを送る。コントローラ５０は、ショックの供給を制御するために及び／又は心臓救助の際のＡＥＤの他の特徴を制御するために、ユーザ制御入力部６３からユーザ入力を受信する。ユーザ制御入力部６３は、１つ以上の押しボタン又は等価物として実施される。
【００２３】
[0028]  ＨＶ回路４０は、１対の電極３０に結合されるＨＶスイッチ４３と、ＨＶスイッチ４３に結合されるエネルギー蓄積回路４２と、エネルギー蓄積回路４２を所望の充電レベルに充電する高電圧充電器４１とを含む。好適な実施形態では、ＨＶスイッチ４３は、当技術分野において知られているＨブリッジとして形成される。
【００２４】
[0029]  エネルギー蓄積回路４２は、除細動パルスを生成するために必要な高電圧、高電流波形を提供するようにＨＶスイッチ４３に結合される。エネルギー蓄積回路４２は、通常、１００乃至２００マイクロファラッド（μＦ）の範囲内の静電容量値を有し、約２０００ボルトにまで充電される少なくとも１つのコンデンサからなる。高電圧充電器４１は、電池９０からの、通常、約１２ボルトである比較的低い電池電圧を、エネルギー蓄積回路４２を充電するために必要な比較的高い電圧レベルに変換する。
【００２５】
[0030]  例えば汎用マイクロプロセッサ、埋め込みコントローラ又はステートマシンで実現されるコントローラ５０は、本発明によるセルフテスト動作を含む除細動器２０の機能を制御するように動作する。ＨＶスイッチ４３は、コントローラ５０からのスイッチ制御信号に反応して、所望の極性及びパルス持続時間を有する除細動パルスを生成する。エネルギー蓄積回路４２の電圧は、コントローラ５０から高電圧充電器４１への充電制御信号を介して制御される。セルフテストの間のＨＶコンポーネントのパラメータと、実際の使用時のＨＶコンポーネントのパラメータとは、似ている。セルフテストの間のエネルギーの放出は、患者電極を介してではなく、ＨＶスイッチ４３内に組み込まれるシミュレートされた患者負荷を介して行われる。
【００２６】
[0031]  セルフテスト動作の間、ＨＶスイッチ４３からの電流信号及びエネルギー蓄積回路４２からの電圧信号が、コントローラ５０にフィードバックされ、当該コントローラ５０は、セルフテスト動作の結果を評価する。セルフテスト動作は、所定のパラメータ内にない場合、除細動器２０は、その出力部１００を介して、警報を出す。そうでなければ、出力部１００は、除細動器２００は使用する準備が整っていることを示す。出力部１００は、聴覚インジケータ、視覚インジケータ、好適には、これらの組み合わせであってよい。更に、出力部１００は、遠隔ロケーションと通信してもよい。これにより、出力部１００は、最新セルフテスト動作の結果を示す。
【００２７】
[0032]  仮に、ＨＶ回路４０内のコンポーネントのうちの１つに、未検出の潜在的欠陥が存在した場合、セルフテスト動作の適用を繰り返すことによって課せられる電圧及び電流ストレスが、最終的に、当該コンポーネントを故障させてしまうことがある。故障は、通常、セルフテスト（又は後続のセルフテスト）の間に発見され、出力部１００を介して、ユーザに通信される。
【００２８】
[0033]  図２は更に、セルフテストのスケジュールを制御するシステムモニタ５２を示す。スタンドバイ中、回路は、モニタ５２以外は、電池電力を節約するために、電源を切った状態にされる。好適には低電力で動作するプロセッサであるモニタ５２は、スタンバイ中は、時計を動かす、出力部１００におけるレディネスインジケータを駆動する、及び、センサ６０において環境的又は他の条件を検知するために、低出力モードで動作する。好適には、システムモニタ５２は、定期的なスケジュールで、又は、センサ６０からのセルフテストを必要とするある検知環境条件に反応して、コントローラ５０を「目覚めさせる」ことによって、コントローラ５０におけるセルフテストの開始を制御する。モニタ５２は、ユーザ起動入力部６１からのＡＥＤのユーザ起動を検知してもよい。ユーザがデバイスを起動させることによって、心臓救助の開始におけるスタートアップセルフテストが開始されてもよい。ユーザ起動入力部６１は、押しボタン、レバー、又は、他の何らかの適したオン／オフ要素として配置される。
【００２９】
[0034]  メモリ５６は、セルフテストスケジュールのための命令及びパラメータ、セルフテストプロトコル、並びに、セルフテストスケジュールの変更を制御する閾値条件を含む。メモリ５６は更に、セルフテストの結果、並びに、温度、機械的衝撃及び湿度といった過去の環境データを含む。メモリ５６は、追加的に、コントローラ５０及び／又はモニタによって検知される起動入力部６１におけるデバイス起動の回数若しくは頻度、ユーザ制御部６３におけるユーザボタンの押下の回数若しくは頻度、又は、供給された除細動器ショックの回数といったデバイス使用情報を保持する。
【００３０】
[0035]  セルフテストスケジュールを変更するために必要な閾値条件は、方法の説明に関連して、より詳細に説明される。閾値条件とは、欠陥を検出するために及び電池電力を節約するためには、セルフテストの異なる頻度が有益であることを示す条件である。例えば閾値条件は、最初のＡＥＤ起動からの経過時間、所定のユーザデバイス起動頻度、所定のユーザボタン押下回数、正常なデザイン動作温度範囲を上回る又は下回る温度、所定のデバイスへの機械的衝撃の回数、又は、湿度閾値である。閾値条件は、対応する検知条件と比べられ、これにより、閾値の経過時間後に、ＨＶセルフテスト頻度が下げられたり、所定回数の機械的衝撃後に又は湿度が高い場合に、ＨＶセルフテスト頻度が上げられたりする。
【００３１】
[0036]  センサ６０は、閾値条件と比較される条件を検出する。したがって、センサ６０は、温度、機械的衝撃、又は、湿度／内部水分といった環境条件を検出するように配置される。したがって、センサ６０は、温度センサ、加速度計、力センサ又は湿度センサであってよい。センサ６０は更に、デバイスがサービス提供状態にされてから経過した時間を推定する計時タイマー又はカウンタとして配置されてもよい。センサ６０は、ユーザボタンの押下のカウンタ又はユーザによってデバイスが起動された頻度のセンサとして配置されてもよい。
【００３２】
[0037]  工場から出荷後、除細動器が初めて起動された後、コントローラ５０は、「目覚まし」システムモニタ５２に呼応して動作して、除細動器の回路を、第１の頻度にあるセルフテストプロトコルで定期的に動作させる。各セルフテスト後、結果は、出力部１００において示される。コントローラ５０は、検知された条件を、所定の閾値条件と比べる。検知された条件が、閾値条件を超える場合、コントローラ５０は、システムモニタ５２によって、セルフテストプロトコルを第２の頻度にシフトするスイッチをメモリ５６内で設定する。
【００３３】
[0038]  セルフテストプロトコル自体の特性は、当該プロトコルが行われる頻度に関係なく、変わらないことが好適である。例えば、コントローラ５０及びモニタ５２は、客によるＡＥＤの最初の起動後は、毎日、ＨＶセルフテストプロトコルを行ってもよい。特定回数の毎日のＨＶセルフテスト後、コントローラ５０及びモニタ５２は、電池電力を節約するために、ＨＶセルフテストプロトコルを、週毎又は月毎の頻度に切り替える。この構成下では、ＨＶセルフテストのストレスによって発見される潜在的欠陥が、従来技術のデバイスにおけるよりも早くに出現することが予想される。
【００３４】
[0039]  或いは、閾値条件を超過する条件が、除細動器２０は比較的厳しい動作環境にあることを示す場合、第２の頻度は、第１の頻度よりも高く設定される。恐らく、このような環境は、例えば緊急医療サービスである緊急救援隊員によって所有される使用頻度の高い除細動器において生じる。上記所有者の場合、より頻度の高いセルフテストスケジュールの結果もたらされる電池寿命の短縮は、より厳しいセルフテストスケジュールの信頼性の保証を考慮すると、許容できる。
【００３５】
[0040]  除細動器２０の別の実施形態は、コントローラ５０と通信する受信器８０を含む。受信器８０は、好適には、除細動器の母集団全体からのデータを収集し、解析する遠隔ロケーションからの情報をワイヤレスで受信するように動作可能である。受信器８０は、ワイヤレスインターネット、携帯電話、ブルートゥース（登録商標）（ＴＭ）無線、赤外線又は光学等であってよい。受信器８０は、上記に加えて又は上記に代えて、当該情報の受信のために、使用する準備の整っている除細動器が格納されている施設内のデータネットワークといったネットワークに有線接続されていてもよい。
【００３６】
[0041]  好適には、上記情報は、同様の除細動器におけるセルフテスト不合格又は他の特定された欠陥に関するデータを含む。同種の除細動器は、時間的に近い製造日を有するか、又は、そうでなければ、潜在的に欠陥があると特定されたコンポーネント又は処理の同じロットから形成されている場合がある。受信器８０は、情報をコントローラ５０に送信し、コントローラ５０は、これに反応して、セルフテストプロトコルを、第２の、好適には高い頻度に切り替える。高頻度のセルフテストは、想定上、セルフテストの際に、潜在的欠陥を特定する可能性がより高い。
【００３７】
[0042]  図３は、本発明の１つの実施態様による方法を説明する。エンドユーザが、製造業者から除細動器２０を受け取った後、エンドユーザは、使用のために除細動器２０を準備し、当該デバイスをスタンバイ状態にする（ステップ１０５）。ステップ１０５は、通常、除細動器の梱包を解き、電池電力をデバイスに与え、電池挿入時セルフテストをランさせ、当該デバイスをアクセス可能な格納場所に置くことによって、達成される。その後、ステップ１２０において、除細動器２０は、自らを定期的に起動させて、デバイスメモリ５６内にある命令に従って、第１の頻度でセルフテストプロトコルを行う。セルフテストプロトコルの一例は、除細動器内の高電圧回路を動かすＨＶセルフテストである。本発明の一実施形態によるＨＶセルフテストの好適な第１の頻度は、毎日である。上記されたように、この方法ステップによるＨＶコンポーネントのストレステストの頻度が高いと、製品寿命の早期に、潜在的欠陥によるデバイス故障を引き起こすことがある。早期検出は、補正アクションの早期診断及び費用削減をもたらす。デバイスがセルフテストに不合格であった場合、デバイスは、出力部１００に、当該不具合についてユーザを注目させる警報を提供する。そうでなければ、デバイスは、「使用可能」との出力を提供し、次のステップ１３０に進む。
【００３８】
[0043]  除細動器２０は、ステップ１３０において、除細動器２０がセルフテストのために起動する度に、自動的に条件を閾値レベルに照らして確認する。上記されたように、条件とは、経過時間、及び、初期故障期間といった所定の期間の対応する閾値レベルである。或いは、環境条件及び環境閾値は、温度、機械的衝撃レベル又は湿度レベルに対応する。別の代替の閾値は、入力部６３において制御ボタンがユーザによって押下された回数、起動入力部６１においてＡＥＤがユーザによって起動された回数といった使用条件である。
【００３９】
[0044]  ステップ１３０において、条件が閾値レベルを超えない場合、除細動器２０は、セルフテスト後は、スタンバイに戻り、その後、ステップ１２０における第１の頻度でのセルフテストプロトコルを繰り返す。
【００４０】
[0045]  ステップ１３０において、閾値レベルを超える条件が検出されると、セルフテストプロトコルが、第２の頻度で行われたならば、更に最適化されることが示される。検出された条件に反応して、除細動器２０は、ステップ１５０において、セルフテストプロトコルを、第２の頻度のセルフテストに自動的に切り替える。除細動器２０は、次に、スタンバイに戻る。その後、除細動器２０は、第２の頻度でセルフテストプロトコルを行うように定期的に起動される。上記された例のＨＶセルフテストは、電池の寿命を節約するために、月毎又はそれよりも少ない頻度の第２の頻度を有してもよい。したがって、第１のＨＶセルフテスト頻度は、第２の頻度よりも高い。
【００４１】
[0046]  検出される条件に依存して、２つの異なる頻度でセルフテストプロトコルを行う上記方法は、低電圧（ＬＶ）セルフテストにも適用される。従来技術のデバイスでは、ＬＶセルフテストは、除細動器の動作寿命全体を通して、毎日、行われる。幾つかの除細動器モデルについての故障率データの解析によって、毎日のＬＶセルフテストは、初期故障段階１１の後、摩耗段階１３の前までは、不必要であることを示唆している。したがって、ＬＶセルフテストの第１の頻度は、第２の頻度よりも高い。ＬＶセルフテストの好適な第１の頻度は、毎日であり、第２の頻度は、ゼロである。
【００４２】
[0047]  図３に示される方法は、任意選択的に、ある条件を第２の閾値レベルと照らして確認するステップ１６０を含む。ステップ１６０は、第２の頻度でのセルフテストステップ１５０の間又はその直後に行われる。第２の閾値は、ステップ１３０における閾値条件と同じであっても、特性が異なってもよい。ステップ１６０において、第２の閾値レベルを超えない場合、セルフテストは、ステップ１５０において、第２の頻度において続行される。しかし、ステップ１６０において、第２の閾値レベルを超えた場合、セルフテストは、第３の頻度に変更される。
【００４３】
[0048]  ステップ１６０における条件及び第２の閾値レベルは、一実施形態では、除細動器の電池交換に関連する。検出された電池交換の閾値回数が、除細動器は、そのデザイン寿命の終わりに近づいていることを示す。デザイン寿命の終わりの近くでは、デバイス故障の可能性がより高くなり、セルフテストの頻度を上げることが望まれる。したがって、ステップ１６０は、電池交換回数を、所定回数の電池交換の閾値レベルと比較する。特定の電池交換を検出すると、除細動器は、ステップ１７０において、セルフテストプロトコルの遂行を第３の頻度に自動的に切り替え、その後、セルフテストを行う。第３の頻度は、第１の頻度と第２の頻度との間であってもよい。
【００４４】
[0049]  或いは、条件及び第２の閾値レベルは、経過時間と、ステップ１５０の第２の頻度のセルフテストプロトコルの開始に続く第２の所定の期間とに関連する。このような経過時間も、除細動器が、デバイス故障の可能性がより高くなり、セルフテストの頻度を上げることが望まれるそのデザイン寿命の終わりに近づいていることを示す。ステップ１６０において、経過時間が第２の閾値を超える場合、除細動器は、ステップ１７０において、セルフテストプロトコルを第３の頻度に自動的に切替え、その後、セルフテストを第３の頻度で定期的に行う。この場合、第３の頻度は、第２の頻度よりも高い。
【００４５】
[0050]  図４では、本発明の別の実施形態が説明される。図３の方法と同様に、除細動器をスタンバイ状態にするステップ１０５の後に、ステップ１２０における、第１の頻度でのセルフテストプロトコルの定期的な遂行が開始される。しかし、図４の方法では、遠隔ロケーションから情報を受信する受信器を含む除細動器の使用を検討する。情報は、好適には、同じモデルの除細動器の故障又は欠陥に関し、より好適には、時間的に近い製造日を有する又は除細動器と同じロットのコンポーネントを有する除細動器の故障又は欠陥に関する。受信された情報は、後から取り出すことができるように、除細動器のメモリ５６に格納される。
【００４６】
[0051]  受信器は、好適には、ワイヤレス通信路を介して情報を受信する。情報の受信は、適切な時間の間に、及び、既知の受信方法に従って生じる。例えば、除細動器のワイヤレス受信器が、セルフテスト期間の間だけ、受信するように構成される場合、電池電力を節約するためには、遠隔ロケーションから除細動器への送信を同期させる方法が望ましい。他の受信方法によって、除細動器は、スタンバイ中はいつでも、使用のために起動されたとき、又は、セルフテスト期間中に受信することができる。
【００４７】
[0052]  ステップ１２０における第１の頻度でのセルフテストプロトコルの各遂行後、除細動器は、ステップ１３４において、受信した情報についてそのメモリを自動的に確認する。受信した情報が、時間的に近い製造日を有する第２の除細動器（例えば同種の除細動器）に関連する場合、除細動器は、ステップ１５０において、そのセルフテストプロトコルを第２の頻度に自動的に切り替える。或いは、受信した情報は、潜在的欠陥を有するか又は潜在的に有する除細動器のコンポーネントの共有ロットに関連する。
【００４８】
[0053]  その後、セルフテストプロトコルは、第２の頻度で行われる。通常、ステップ１５０における第２の頻度は、ステップ１２０における第１の頻度よりも高い。したがって、図４の方法は、同種の除細動器又は共有のコンポーネントロットの経験した故障によって、潜在的に故障の確率が高い除細動器に行うセルフテストのレベルを増加させる。
【００４９】
[0054]  図５ａは、除細動器２０の外面に配置される出力部１００を示す。ここでは、出力部１００は、セルフテストプロトコルの結果を示すように動作する視覚インジケータ７０を含む。したがって、視覚インジケータ７０は、レディネス状態出力をユーザに提供する。好適な実施形態では、システムモニタ５２が、視覚インジケータ７０に給電する。
【００５０】
[0055]  図５ａに示されるように、視覚インジケータ７０は、３つの主要素を含む。基部層は、赤色の「×」印といったように「使用不可」の状態を表すグラフィックアイコン７６を含む。１つ以上の色付きＬＥＤ７２が、グラフィックアイコン７６を囲む。ＬＥＤ７２は、グラフィックアイコン７６の外縁の周りに配置され、電池電力を節約するために、フラッシュモードでモニタ５２によって駆動されることが好適である。一実施形態では、「使用不可」を表す赤色ＬＥＤと、「使用可能」を表す緑色ＬＥＤとが、グラフィックアイコン７６の外縁の周りに集合的に配置される。ＬＣＤシャッタ７４は、グラフィックアイコン７６を覆うが、ＬＥＤ７２は覆わないように配置される。ＬＣＤシャッタ７４は、システムモニタ５２によって駆動されているときは不透明であるようにバイアスがかけられる。システムモニタ５２によって駆動されていないときは、ＬＣＤシャッタ７４は、透明であり、これにより、グラフィックアイコン７６が可視となる。
【００５１】
[0056]  図５ｂ乃至図５ｄは、視覚インジケータ７０の動作を示す。図５ｂでは、除細動器２０は、最近のセルフテストプロトコルを成功裏に合格している。したがって、システムモニタ５２は、ＬＣＤシャッタ７４を不透明となるように駆動し、グラフィックアイコン７６が見えないようにする。好適には、システムモニタ５２は更に、周囲の緑色ＬＥＤ７２を駆動して点灯させる。図５ｂにおけるインジケータの緑色状態は、除細動器２０が使用可能な状態であることを示す。図５ｂにおける状態は更に、セルフテストプロトコルが、上記の方法に従って変更されたことを示すためにも使用される。例えば、セルフテストが、第２の頻度に自動的に切り替えられている場合、システムモニタ５２は、非緑色又は非赤色ＬＥＤ、例えば黄色ＬＥＤを駆動して点灯させる。したがって、ユーザは、除細動器２０は使用可能な状態ではあるが、何らかの潜在的な条件によって、除細動器２０は異なるセルフテスト頻度にされたことに気付かされる。これにより、ユーザは、必要に応じて又は所望される場合は、更に調査することができる。
【００５２】
[0057]  図５ｃでは、除細動器２０のセルフテストプロトコルが、故障又は潜在的故障を特定している。この状態では、システムモニタ５２は、ＬＣＤシャッタ７４を透明にして、「使用不可」とのグラフィックアイコン７６を露出させる。更に、システムモニタ５２は、赤色ＬＥＤ７２を駆動して一定又は定期的に点灯させて、デバイスを更に注目させる。したがって、ユーザは、補正アクションを開始するように促される。或いは、潜在的故障を特定した場合は、除細動器は動作可能ではあるが、近い将来の故障を引き起こしうる潜在的な問題が特定されたことを示すために非赤色ＬＥＤを点灯させながら、「使用不可」とのグラフィックアイコン７６を露出させてもよい。当該問題は、受信された情報によって、又は、異なるセルフテスト頻度への切替えによって、特定される。
【００５３】
[0058]  図５ｄは、除細動器２０が、完全に故障したときの表示を示す。この場合、視覚インジケータ７０への電力は不要である。ＬＥＤ７２を点灯させるために利用可能な電力がない場合は、ＬＣＤシャッタ７４に「使用不可」のグラフィックアイコン７６を覆い隠すための電力もない。したがって、視覚インジケータ７０は、機能しない除細動器２０については、フェイルセーフなインジケータである。
【００５４】
[0059]  好適な実施形態の視覚インジケータ７０の主要な利点は、その低電力要件及びそのフェイルセーフ特性である。インジケータ７０は、ユーザに、点灯されたＬＥＤ警報だけでなく、ＬＥＤ照明に利用可能な電力がない場合であっても機能表示を提供するデバイス状態のグラフィック表示との両方を提供することによって、従来技術のインジケータを改良する。
【００５５】
[0060]  上記されたデバイス、方法及びディスプレイに対する変更は、本発明の範囲内に含まれる。例えば本発明の目的を実現するコントローラ及びモニタ回路の様々な構造は、請求項の範囲内である。また、除細動器上の場所における出力警報の特定の外観及び配置は異なってもよい。上記された予測機能と実質的に同じ予測機能を行う様々なセルフテストプロトコルも、本発明の範囲内である。
【図１】
2018134447.tif 000003
【図２】
2018134447.tif 000004
【図３】
2018134447.tif 000005
【図４】
2018134447.tif 000006
【図５】
2018134447.tif 000007
【手続補正書】
【提出日】平成30年4月25日(2018.4.25)
【手続補正１】
【補正対象書類名】特許請求の範囲
【補正対象項目名】全文
【補正方法】変更
【補正の内容】
【特許請求の範囲】
【請求項１】
除細動器をセルフテストする方法であって、
第１の頻度で、セルフテストプロトコルを定期的に行うステップと、
他の除細動器の故障又は欠陥に関する情報を、前記除細動器において受信するステップと、
前記受信するステップにおいて受信した前記情報に反応して、前記セルフテストプロトコルを、第２の頻度に自動的に切り替えるステップと、
前記第２の頻度で、前記セルフテストプロトコルを定期的に行うステップと、
を含む、方法。
【請求項２】
閾値条件を超過する条件を検出するステップと、
前記検出するステップに反応して、前記セルフテストプロトコルを、前記第２の頻度に自動的に切り替えるステップと、
を更に含む、請求項１に記載の方法。
【請求項３】
前記第２の頻度は、前記第１の頻度よりも高い、請求項１に記載の方法。
【請求項４】
前記セルフテストプロトコルは、高電圧コンポーネントセルフテストプロトコルを含む、請求項１又は２に記載の方法。
【請求項５】
前記高電圧コンポーネントセルフテストプロトコルは、前記除細動器内の電気療法供給回路を介する電気療法に十分な電圧を印加するステップを含む、請求項４に記載の方法。
【請求項６】
前記セルフテストプロトコルは、低電圧セルフテストプロトコルを含む、請求項１又は２に記載の方法。
【請求項７】
前記除細動器における電池交換を検出するステップと、
前記検出するステップに基づいて、前記セルフテストプロトコルを、第３の頻度に自動的に切り替えるステップと、
を更に含む、請求項１又は２に記載の方法。
【請求項８】
前記条件は、経過時間であり、前記閾値条件は、所定の期間であるか、
前記条件は、前記除細動器の感知された起動回数であり、前記閾値条件は、前記除細動器の閾値起動回数であるか、
前記条件は、完了したセルフテストの回数であり、前記閾値条件は、前記セルフテストの所定回数であるか、
又は、前記条件は、環境条件であり、前記閾値条件は、環境閾値条件である、請求項２に記載の方法。
【請求項９】
前記第２の頻度で、前記セルフテストプロトコルを定期的に行うステップの開始の後の所定の期間の後、前記セルフテストプロトコルを、前記第２の頻度よりも高い第３の頻度に自動的に切り替えるステップと、
前記第３の頻度で、前記セルフテストプロトコルを定期的に行うステップと、
を更に含む、請求項１又は２に記載の方法。
【請求項１０】
前記受信するステップは、ワイヤレス通信路を介して、前記除細動器において前記情報を受信するステップを含む、請求項１〜９の何れか一項に記載の方法。
【請求項１１】
自動セルフテストプロトコルを有する除細動器であって、
１対の患者電極に、高電圧電気療法を提供する回路と、
セルフテストプロトコル用の命令と、閾値条件とを格納するメモリと、
前記閾値条件に対応する条件を検知するセンサと、
前記メモリ及び前記センサに結合され、前記条件が前記閾値条件を超過しない場合は、第１の頻度で、又は、前記条件が前記閾値条件を超過する場合は、第２の頻度で、前記セルフテストプロトコルを使用して、前記除細動器のセルフテストを行うように動作可能であるコントローラと、
最近のセルフテストの結果の表示を提供する出力部と、
を含み、
時間的に近い製造日を有する第２の除細動器に欠陥があることを示す情報をワイヤレスで受信するように動作可能な受信器を更に含み、
前記コントローラは更に、受信した前記情報に反応して、前記第２の頻度で、前記セルフテストプロトコルにおいて前記回路を動作させるように動作可能である、除細動器。
【請求項１２】
前記閾値条件は、経過時間、所定のユーザ起動回数、所定のユーザ制御ボタン押下回数、正常動作温度を上回る温度、前記正常動作温度を下回る温度、所定の機械的衝撃の回数及び湿度閾値からなる群から選択される１つである、請求項１１に記載の除細動器。
【請求項１３】
前記出力部は、発光ダイオード、液晶ディスプレイ及びグラフィックアイコンを含む視覚的グラフィックである、請求項１１又は１２に記載の除細動器。
【請求項１４】
前記グラフィックアイコンは、前記除細動器は、使用の準備が整っていないことを示し、
前記液晶ディスプレイは、前記グラフィックアイコンを覆い、前記除細動器が使用の準備が整っている場合は、前記グラフィックアイコンを覆い隠すように動作可能であり、
前記発光ダイオードは、前記除細動器が、使用の準備が整っている場合は、点灯するように動作する、請求項１３に記載の除細動器。
【外国語明細書】
2018134447000001.pdf